【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
眼内レンズ（ＩＯＬ）デバイスであって、ＩＯＬデバイスは、
１対の対向する変形可能な表面およびそれらの間に画定されたキャビティを含む第１のレンズと、
第２のレンズと、
前記第１のレンズと前記第２のレンズを連結し、かつ外周縁部を有する円周ハプティックと、
前記円周ハプティック、前記第１のレンズおよび前記第２のレンズによって画定された主ＩＯＬキャビティと
を備え、
前記ＩＯＬデバイスは、前記外周縁部に加わる半径方向の圧縮力の不在下で、前記ＩＯＬデバイスが第１の直径ｄ１を有することによって特徴付けられる非調節状態に弾性的に付勢され、
前記ＩＯＬデバイスは、前記外周縁部に加わる半径方向の圧縮力に応じた、ｄ１＞ｄ２である第２の直径ｄ２によって特徴付けられる調節状態に作動させる、ＩＯＬデバイス。
【請求項２】
前記第１のレンズが両凸レンズである、請求項１に記載のＩＯＬデバイス。
【請求項３】
前記キャビティが完全に密閉されている、請求項１に記載のＩＯＬデバイス。
【請求項４】
前記キャビティ内にゲルをさらに含む、請求項１に記載のＩＯＬデバイス。
【請求項５】
前記ゲルが１．４６以上の屈折率を有する、請求項４に記載のＩＯＬデバイス。
【請求項６】
前記ゲルが１０ｐｓｉ（６８．９ｋＰａ）以下のヤング率を有する、請求項４に記載のＩＯＬデバイス。
【請求項７】
前記ゲルが架橋ビニル末端フェニルシロキサンポリマーである、請求項４に記載のＩＯＬデバイス。
【請求項８】
前記第２のレンズが、平凸レンズ、両凸レンズおよび正メニスカスレンズのうちの１つである、請求項１に記載のＩＯＬデバイス。
【請求項９】
前記第２のレンズが前記第１のレンズよりも実質的に硬質である、請求項１に記載のＩＯＬデバイス。
【請求項１０】
前記円周ハプティックと前記第２のレンズとの間に配置されたヒンジをさらに含む、請求項１に記載のＩＯＬデバイス。
【請求項１１】
前記周縁部への圧縮力の存在下で前記ヒンジが前記圧縮力の大部分を前記第１のレンズ上へ向けて、比例減少する前記第１のレンズの直径において前記第２のレンズの直径よりも大きな比例減少を引き起こす、請求項１０に記載のＩＯＬデバイス。
【請求項１２】
前記第１のレンズの前記対向する変形可能な表面の各々が、前記第２のレンズの５０％以下である厚さを有する、請求項１に記載のＩＯＬデバイス。
【請求項１３】
前記円周ハプティック上に配置された複数の開口部および前記円周ハプティック内に画定された円周チャネルの一方または両方をさらに含む、請求項１に記載のＩＯＬデバイス。
【請求項１４】
前記複数の開口部が前記主ＩＯＬキャビティと流体連通している、請求項１３に記載のＩＯＬデバイス。
【請求項１５】
前記複数の開口部が前記円周チャネルおよび前記主ＩＯＬキャビティの両方と流体連通している、請求項１３に記載のＩＯＬデバイス。
【請求項１６】
複数の隆起したバンプをさらに含むＩＯＬデバイスであって、前記複数の隆起したバンプの少なくとも１つが前記複数の開口部の各々に隣接して位置付けられている、請求項１３に記載のＩＯＬデバイス。
【請求項１７】
複数のトラフをさらに含み、前記複数のトラフの少なくとも１つは、前記開口部内への流体の流れを容易にするために、前記複数の開口部の各々から内側へ放射状に広がっている、請求項１３に記載のＩＯＬデバイス。
【請求項１８】
前記円周ハプティックが、前記第２のレンズを連結する複数のラジアルアームを含み、前記複数のラジアルアームは、前記主ＩＯＬキャビティとの流体連通を可能にするためにそれらの間に開口部を画定している、請求項１に記載のＩＯＬデバイス。
【請求項１９】
前記円周ハプティックが、前記主ＩＯＬキャビティの周辺部に配置された第３の円周キャビティを含む、請求項１に記載のＩＯＬデバイス。
【請求項２０】
前記円周ハプティックに沿った半径方向力の適用時に前記第１のレンズの前記対向する表面が互いから離れるように変位し、前記対向する表面は、中央領域および周辺領域を有し、前記周辺領域から前記中央領域へと漸増する厚さプロフィールを有する、請求項１に記載のＩＯＬデバイス。
【請求項２１】
眼内レンズ（ＩＯＬ）デバイスであって、ＩＯＬデバイスは、
第１のヤング率を有する変形可能な弾性材料で作られている第１のレンズと、
中心光軸に沿って前記第１のレンズに対して離間された第２のレンズと、
前記第１のレンズおよび前記第２のレンズを取り囲むとともに外周縁部を含む円周部分と、
を備え、
前記第２のレンズの一部および前記円周部分の一部の少なくとも一方は、第２のヤング率を有する材料で作られており、かつ
前記第１のヤング率は前記第２のヤング率より小さい、ＩＯＬデバイス。
【請求項２２】
前記第２のレンズのみが、前記第２のヤング率を有する材料で作られている、請求項２１に記載のＩＯＬデバイス。
【請求項２３】
前記円周部分の一部のみが、前記第２のヤング率を有する材料で作られている、請求項２１に記載のＩＯＬデバイス。
【請求項２４】
前記第１のヤング率が１００ｐｓｉ（６８９．５ｋＰａ）以下である、請求項２１に記載のＩＯＬデバイス。
【請求項２５】
前記第２のヤング率が１００ｐｓｉ（６８９．５ｋＰａ）以上である、請求項２１に記載のＩＯＬデバイス。
【請求項２６】
前記第２のヤング率が１５０ｐｓｉ（１０３４．２ｋＰａ）以上である、請求項２５に記載のＩＯＬデバイス。
【請求項２７】
前記第１のレンズが、１対の対向する変形可能な表面およびそれらの間に画定されたキャビティを含み、前記第１のレンズは第１のレンズ直径を有し、かつ
主ＩＯＬキャビティが、前記第１のレンズ、前記第２のレンズおよび前記円周部分の間に画定されている、請求項２１に記載のＩＯＬデバイス。
【請求項２８】
アクティブ型光学領域の外側に前記第２のレンズ上に配置されたヒンジをさらに含む、請求項２７に記載のＩＯＬデバイス。
【請求項２９】
前記第１のレンズが、周縁部に沿った半径方向力の適用時に互いから離れるように変位する２つの対向する表面で構成され、前記２つの対向する表面は各々、中央領域および周辺領域を有し、ここで、前記中央領域は、前記周辺領域の厚さよりも少なくとも２倍大きい厚さを有する、請求項２１に記載のＩＯＬデバイス。
【請求項３０】
眼内レンズ（ＩＯＬ）デバイスであって、ＩＯＬデバイスは、
対向する側面および前記対向する側面の間の密閉されたキャビティを含む第１のレンズであって、前記対向する側面は各々、中央領域および周辺領域を有し、前記中央領域は、光軸の周囲に配置され、前記周辺領域は、前記中央領域の周囲に配置され、ここで、前記中央領域は、前記周辺領域よりも少なくとも２倍厚い、第１のレンズと、
前記第１のレンズに対して離間された第２のレンズであって、前記第１のレンズの前記対向する側面のいずれか一方よりも大きい厚さを有する第２のレンズと、
前記第１のレンズと前記第２のレンズとを連結し、かつ外周縁部を有する円周ハプティックと、
前記円周ハプティック、前記第１のレンズおよび前記第２のレンズによって画定された主ＩＯＬキャビティと、
を備えた、ＩＯＬデバイス。
【請求項３１】
前記中央領域が前記周辺領域よりも少なくとも３倍厚い、請求項３０に記載のＩＯＬデバイス。
【請求項３２】
前記中央領域が前記周辺領域よりも少なくとも４倍厚い、請求項３０に記載のＩＯＬデバイス。
【請求項３３】
前記第１のレンズの前記密閉されたキャビティが、第１の屈折率を有するゲルを含む、請求項３０に記載のＩＯＬデバイス。
【請求項３４】
前記第１のレンズの前記対向する側面が、前記ゲルの前記第１の屈折率より小さい第２の屈折率を有する、請求項３３に記載のＩＯＬデバイス。
【請求項３５】
前記ゲルがビニル末端フェニルシロキサンである、請求項３３に記載のＩＯＬデバイス。
【請求項３６】
前記ゲルが、０．２５ｐｓｉ（１．７２ｋＰａ）以下のヤング率を有する、請求項３３に記載のＩＯＬデバイス。